(57)【特許請求の範囲】
【請求項１】
携帯端末に入力された、プラントの配管に設けられた操作対象の手動弁の操作後の開閉状態を示す第１情報と、プラント機器状態管理装置の機器状態記憶装置から前記携帯端末に入力された作業指示情報に含まれて予め設定された、前記手動弁の開閉状態を示す第２情報が一致するかが、前記携帯端末において、判定され、
前記第１情報が前記第２情報と一致するとき、前記第１情報が、前記携帯端末に入力された、前記手動弁が設けられた前記配管内の状態を示す第４情報と共に、前記携帯端末から前記プラント機器状態管理装置に送信され、
前記第４情報が前記プラント機器状態管理装置の機器状態記憶装置に記憶され、
前記プラント機器状態管理装置が、入力した前記第１情報に基づいて表示情報を作成することを特徴とするプラント機器状態管理方法。
【請求項２】
前記第２情報として、前記手動弁の、前記プラント起動前にあるべき開閉状態を示す情報が用いられる請求項１に記載のプラント機器状態管理方法。
【請求項３】
前記手動弁に取り付けられた、前記手動弁の第１識別情報を保有する識別情報保有手段から前記携帯端末に読み込んだ前記手動弁の前記第１識別情報が前記第２情報に含まれる前記手動弁の第２識別情報と一致しているかを、前記携帯端末において判定する請求項１または２に記載のプラント機器状態管理方法。
【請求項４】
入力した前記作業指示情報を前記携帯端末に表示する請求項１ないし３のいずれか１項に記載のプラント機器状態管理方法。
【請求項５】
前記手動弁が設けられる、前記プラントの配管系の配管計装線図情報に前記第１情報を付加した前記表示情報を作成する請求項１ないし４のいずれか１項に記載のプラント機器状態管理方法。
【請求項６】
前記プラント機器状態管理装置が前記プラントに設けられた電動弁の操作後の開閉状態を示す第３情報を入力し、前記プラント機器状態管理装置における前記表示情報の作成が、前記第１情報と共に及び前記第３情報を用いて行われる請求項１ないし４のいずれか１項に記載のプラント機器状態管理方法。
【請求項７】
前記プラント機器状態管理装置が前記プラントに設けられた電動弁の操作後の開閉状態を示す第３情報を入力し、前記プラント機器状態管理装置における前記表示情報の作成が、前記配管計装線図情報に前記第１情報と共に及び前記第３情報を付加して行われる請求項５に記載のプラント機器状態管理方法。
【請求項８】
前記携帯端末から入力した前記第１情報が前記第２情報と一致するかが、前記プラント機器状態管理装置において、判定され、前記プラント機器状態管理装置における前記表示情報の作成が、前記プラント機器状態管理装置において前記第２情報と一致すると判定された前記第１情報を用いて行われる請求項１ないし７のいずれか１項に記載のプラント機器状態管理方法。
【請求項９】
入力される、プラントの配管に設けられた操作対象の手動弁の操作後の開閉状態を示す第１情報と、プラント機器状態管理装置の機器状態記憶装置から入力される作業指示情報に含まれて予め設定された、前記手動弁の開閉状態を示す第２情報が一致するかを、判定し、前記第１情報が前記第２情報と一致するとき、前記第１情報を、入力される、前記手動弁が設けられた前記配管内の状態を示す第４情報と共に出力する携帯端末と、
前記携帯端末から出力された前記第１情報及び前記第４情報を伝送する通信ネットワークと、
前記通信ネットワークから入力する前記第４情報を記憶する機器状態記憶装置を有し、前記通信ネットワークから入力する前記第１情報に基づいて表示情報を作成する前記プラント機器状態管理装置とを備えたことを特徴とするプラント機器状態管理システム。
【請求項１０】
前記手動弁に取り付けられた、前記手動弁の第１識別情報を保有する識別情報保有手段から読み込んだ前記手動弁の前記第１識別情報が前記第２情報に含まれる前記手動弁の第２識別情報と一致しているかを、判定する前記携帯端末を有する請求項９に記載のプラント機器状態管理システム。
【請求項１１】
前記携帯端末が前記作業指示情報を表示する表示装置を有する請求項９または１０に記載のプラント機器状態管理システム。
【請求項１２】
前記手動弁が設けられる、前記プラントの配管系の配管計装線図情報に前記第１情報を付加した前記表示情報を作成する前記プラント機器状態管理装置を有する請求項９ないし１１のいずれか１項に記載のプラント機器状態管理システム。
【請求項１３】
前記プラントに設けられた電動弁の操作後の開閉状態を示す第３情報を入力し、前記表示情報の作成を、前記第１情報と共に及び前記第３情報を用いて行う前記プラント機器状態管理装置を有する請求項９ないし１１のいずれか１項に記載のプラント機器状態管理システム。
【請求項１４】
前記プラントに設けられた電動弁の操作後の開閉状態を示す第３情報を入力し、前記表示情報の作成を、前記配管計装線図情報に前記第１情報と共に及び前記第３情報を付加して行う請求項１２に記載のプラント機器状態管理システム。
【発明の詳細な説明】
【技術分野】
【０００１】
本発明は、プラント機器状態管理方法及びプラント機器状態管理システムに係り、特に、原子力プラント及び火力プラントの発電プラント、及び化学プラント等のプラントの機器の状態を管理するのに好適なプラント機器状態管理方法及びプラント機器状態管理システムに関する。
【背景技術】
【０００２】
従来、化学プラント及び発電プラント等のプラントでは、運転監視装置の画面上にプラントの系統図を表示し、プラントに設けられた弁の開度等の状態を表示している。しかしながら、この弁の開閉状態の運転監視装置への表示では、オンラインで計測可能な電動弁の開閉状態のみしか表示されていない。プラントに設けられた弁の半分以上を占める手動弁については、オンラインでの開閉状態の確認がなされていない関係上、リアルタイムでの開閉状態の表示が行なわれていない。
【０００３】
特に、原子力プラントにおいては、定期検査が終了した後に系統が所定の状態になっていることを確認した上で、安全にプラントを起動させる必要がある。系統状態の確認作業は、主に、系統における弁の開閉状態を確認することである。電動弁にはリミットスイッチが設置されており、このリミットスイッチにより電動弁の開閉状態を計測することができる。リミットスイッチからの電動弁の開閉状態を示す出力信号は、直接（または制御装置を介して）、プロセス計算機に取り込まれ、この出力信号に基づいた電動弁の開閉情報が表示装置に表示される。このため、中央制御室において電動弁の開閉状態を確認することができる。
【０００４】
しかしながら、原子力プラントにおいては、プラントに設けられた弁のうち原子力プラントの起動前に開閉状態を確認する必要がある弁のうち手動弁が約７０％を占めている。これらの手動弁にはリミットスイッチが設置されていなく、検査員が、プラントが設置されている現場を巡回してそれらの手動弁の開閉状態を確認することが多い。この起動前における手動弁の開閉状態の確認に多大な時間を要しており、この確認作業自体の削減及びこの確認作業において発生するヒューマンエラーの低減が強く望まれている。
【０００５】
特開平９−４４２３１号公報は、プラントに設けられた弁の開閉状態を管理するシステムを記載している。この管理システムでは、運転監視装置の画面に弁状態データベースから読み出した弁状態データを表示し、指示書作成手段が、オペレータが選択した弁の状態データに基づいて指示書を作成するとともに、発行状況管理手段に指示書の発行状況を書き込む。指示書読取手段が、弁を操作した操作者が弁の操作後に弁の開閉状態を書き込んだ変更指示書をリーダで読み込み、変更指示書による弁操作の結果と発行状況管理手段からのデータが一致しているかを確認し、一致している場合に、弁状態データベース内の弁開閉状態を示す情報を弁操作後の弁の状態データに基づいて更新する。
【先行技術文献】
【特許文献】
【０００６】
【特許文献１】特開平９−４４２３１号公報
【発明の概要】
【発明が解決しようとする課題】
【０００７】
プラントに設けられた手動弁の開閉状態の確認は、手動弁にリミットスイッチが取り付けられていないので、作業員が、手動弁が設置されている現場を巡回して手動弁の開閉状態を確認している。
【０００８】
弁の開閉状態を、特開平９−４４２３１号公報に示すように、弁状態データベースに登録することによって、弁状態データベースに登録した弁の開閉状態を表示装置に表示することができ、弁の開閉状態を管理することができる。しかしながら、特開平９−４４２３１号公報では、作業員への弁操作の指示を指示書によって行い、作業員が現場で行った弁操作後における弁の状態を変更指示書に記載して、この変更指示書を中央制御室のオペレータに送る。オペレータは、変更指示書に記載された弁操作後の弁の開閉状態と発行状況管理手段からのデータが一致しているかを確認し、一致している場合に、弁状態データベース内の弁開閉状態を示す情報を弁操作後の弁の状態データに基づいて更新する。このような特開平９−４４２３１号公報では、弁、例えば、手動弁に対して操作結果を紙に記載するときにおける記載ミス、及び保守コンソールに入力するときに入力ミスが発生する可能性がある。
【０００９】
本発明の目的は、プラントに設けられた手動弁の開閉状態を示す情報の精度を向上させることができるプラント機器状態管理方法及びプラント機器状態管理システムを提供することにある。
【課題を解決するための手段】
【００１０】
上記した目的を達成する本発明の特徴は、携帯端末に入力された、プラントの配管に設けられた操作対象の手動弁の操作後の開閉状態を示す第１情報と、プラント機器状態管理装置の機器状態記憶装置から携帯端末に入力された作業指示情報に含まれて予め設定された、その手動弁の開閉状態を示す第２情報とが一致するかが、携帯端末において、判定され、第１情報が第２情報と一致するとき、その第１情報が、携帯端末に入力された、手動弁が設けられたその配管内の状態を示す第４情報と共に、携帯端末からプラント機器状態管理装置に送信され、その第４情報が前記プラント機器状態管理装置の機器状態記憶装置に記憶され、プラント機器状態管理装置が、入力した第１情報に基づいて表示情報を作成することにある。
【００１１】
第１情報と第２情報が一致するかが判定されるので、携帯端末への第１情報の入力の際におけるヒューマンエラーを防止することができ、表示情報の作成に用いられる、プラントに設けられた手動弁の開閉状態を示す情報の精度を向上させることができる。さらに、配管内の状態を示す情報を、必要に応じて携帯端末の表示画に表示することができ、作業員が配管内の状態を知ることができる。
【発明の効果】
【００１２】
本発明によれば、プラントに設けられた手動弁の開閉状態を示す情報の精度を向上させることができる。
【図面の簡単な説明】
【００１３】
【図１】本発明の好適な一実施例であるプラント機器状態管理システムの構成図である。
【図２】図１に示すプラント機器状態管理装置の詳細構成図である。
【図３】図１に示す保守コンソールの詳細構成図である。
【図４】図１に示す携帯端末の平面図である。
【図５】図１に示す携帯端末の詳細構成図である。
【図６】図２に示す携帯端末で行われる処理の内容を示すフローチャートである。
【図７】図１に示すプラント機器状態管理装置の機器状態データベースに格納されている機器状態データの一例を示す説明図である。
【図８】図７に示す機器状態データに配管内の状態を示す情報を付加した機器状態データの一例を示す説明図である。
【図９】図１に示すプラント機器状態管理装置で実行される処理の内容を示すフローチャートである。
【図１０】図１に示すプラント機器状態管理装置で実行される表示情報作成の処理の内容を示すフローチャートである。
【図１１】機器状態データが記入された配管計装図の表示情報を示す説明図である。
【発明を実施するための形態】
【００１４】
本発明の実施例を以下に説明する。
【実施例１】
【００１５】
本発明の好適な一実施例であるプラント機器状態管理方法を、図１を用いて説明する。本実施例のプラント機器状態管理方法は原子力プラントに適用される。
【００１６】
まず、本実施例のプラント機器状態管理方法に用いられるプラント機器状態管理システム２１を、図１、図２、図３、図４及び図５を用いて説明する。プラント機器状態管理システム２１は、操作盤４、大画面表示装置１、大画面可変情報表示装置２，３、制御装置６，７、プロセス計算機８、プラント機器状態管理装置９、保守コンソール１０、通信ステーション１１、アクセスポイント１３，１４、携帯端末１６及び当直長コンソール１９を備えている。当直長コンソール１９は、当直長２０の専用コンソールである。操作盤４、大画面表示装置１、表示装置２，３、制御装置６，７、プロセス計算機８、プラント機器状態管理装置９、保守コンソール１０、通信ステーション１１及び当直長コンソール１９は、構内有線ＬＡＮ１２により、図１に示すように互いに接続されている。原子力プラントの運転に用いられる操作盤４、大画面表示装置１、表示装置２，３、制御装置６，７、プロセス計算機８及び当直長コンソール１９は、中央制御室（図示せず）内に配置されている。保守業務に用いられるプラント機器状態管理装置９及び保守コンソール１０は、原子力プラントの運転業務と原子力プラントの保守業務が干渉しないように、中央制御室近くに設置されたサテライトオフィス内に配置される。
【００１７】
原子力プラントの配管に電動弁であるバイパス弁６Ａ，７Ａが設けられ、リミットスイッチ６Ｃがバイパス弁６Ａに設けられ、リミットスイッチ７Ｃがバイパス弁７Ａに設けられている。センサである流量計６Ｂ，７Ｂが配管に取り付けられている。他のセンサ８Ａ及びリミッタ８Ｂも原子力プラントの機器に取り付けられている。バイパス弁６Ａ、流量計６Ｂ及びリミットスイッチ６Ｃが制御装置６に接続される。バイパス弁７Ａ、流量計７Ｂ及びリミットスイッチ７Ｃが制御装置７に接続される。センサ８Ａ及びリミッタ８Ｂはプロセス計算機８に接続される。
【００１８】
通信ステーション１１は、構内有線ＬＡＮ１５により、アクセスポイント１３，１４等の複数のアクセスポイントに接続される。携帯端末１６は、無線によりアクセスポイント（例えば、アクセスポイント１４）に接続される。手動弁１７（○Ａ入口弁）が原子力プラントの配管に設けられている。ＲＦＩＤタグ（識別情報保有手段）１８が手動弁１７の表面に貼り付けられている。ＲＦＩＤタグ１８の替りにバーコード（識別情報保有手段）を用いてもよい。
【００１９】
プラント機器状態管理装置９は、図２に示すように、通信インタフェース３１、作業指示情報作成部３２、作業確認処理部３３、機器状態管理部３４、系統状態表示情報作成部３５及び機器状態データベース（機器状態記憶装置）３６を備えている。通信インタフェース３１が構内有線ＬＡＮ１２に接続される。作業指示情報作成部３２、作業確認処理部３３、機器状態管理部３４、系統状態表示情報作成部３５及び機器状態データベース３６が通信インタフェース３１にそれぞれ接続される。
【００２０】
保守コンソール１０は、図３に示すように、通信インタフェース３７、大画面可変表示切換え管理部３８、系統状態表示部３９、保守点検作業管理部４０、異常機器診断管理部４１及び機器管理データベース４２を備えている。通信インタフェース３７が構内有線ＬＡＮ１２に接続される。大画面可変表示切換え管理部３８、系統状態表示部３９、保守点検作業管理部４０、異常機器診断管理部４１及び機器管理データベース４２が、それぞれ、通信インタフェース３７に接続される。
【００２１】
携帯端末１６は、図４に示すように、表示画面１６Ａ及びガイドボタン２２を有している。携帯端末１６は、さらに、表示画面１６Ａに、「アップロード」、「記録一覧」、「機器一覧」、「メニュー」、「取消」及び「ＯＫ」の各タッチ部が表示される。携帯端末１６は、さらに、図５に示すように、通信インタフェース４３、送受信処理部４４、ＧＵＩ処理部４５、機器同定処理部４６及び作業結果確認処理部４７を有する。通信インタフェース４３が、送受信処理部４４、グラフィック・ユーザー・インタフェース（ＧＵＩ）処理部４５、機器同定処理部４６及び作業結果確認処理部４７にそれぞれ接続される。
【００２２】
プラント機器状態管理システム２１を用いて行われる本実施例のプラント機器状態管理方法を以下に詳細に説明する。
【００２３】
作業者２０は、携帯端末１６を持って、原子力プラントに設けられた手動弁１７の開閉作業をするするために原子炉建屋およびタービン建屋内等の現場に行き、弁操作作業を実施する。携帯端末１６は、さらに、表示画面１６Ａに、「アップロード」、「記録一覧」、「機器一覧」、「ダウンロード」、「メニュー」、「取消」及び「ＯＫ」の各タッチ部が表示される。現場での作業は作業者２０への負担が多いので、携帯端末１６は、キー入力操作を不要とし、上記したように、表示画面１６Ａに表示されたタッチ部により、データの入力、出力および読み出しができるようになっている。表示画面１６Ａに表示された「記録一覧」及び「機器一覧」の各タッチ部は、記録一覧及び機器一覧の各情報を見たい時に、作業者がこれらのタッチ部をタッチすることによりその情報が表示画面１６Ａに表示される。具体的には、例えば「メニュー」操作で系統を選択して、その系統に対して「記録一覧」及び「機器一覧」のタッチ操作を行う。
【００２４】
携帯端末１６では、図６に示す処理が実行される。まず、作業指示情報が入力される（ステップＳＡ１）。作業者２０が、携帯端末１６の「ダウンロード」のタッチ部を押すことにより、プラント機器状態管理装置９の機器状態データベース３６から読み出された作業指示情報（許可番号、系統番号、系統名、機器番号、機器名称、機器状態、操作者名）が携帯端末１６に入力される。入力した作業指示情報は携帯端末１６の内部メモリ（図示せず）に格納される。機器番号は原子力プラントの設けられた手動弁につけられた番号であり、機器名称は該当する手動弁に対する名称である。機器状態は手動弁の開閉状態である。操作者名は、手動弁を開く操作または閉じる操作を行った操作者の名前である。系統名は、手動弁が設置されている配管系の名称である。その作業指示情報は、構内有線ＬＡＮ１２、通信ステーション１１、構内有線ＬＡＮ１５及びアクセスポイント１４を経由して、プラント機器状態管理装置９から携帯端末１６に伝えられ、携帯端末１６の送受信処理部４４の作用により携帯端末１６の通信インタフェース４３から携帯端末１６内に取り込まれる。送受信処理部４４は、「ダウンロード」のタッチ部が押されたときにおける、外部からの情報の携帯端末１６での受信、及び「アップロード」のタッチ部が押されたときにおける、携帯端末１６から外部への情報の送信を行う。携帯端末１６の表示画面１６Ａが作業指示情報を表示する。
【００２５】
作業者２０は、作業対象の手動弁１７の所に来たとき、携帯端末１６を手動弁１７に貼り付けられたＲＦＩＤタグ１８に向ける。ＲＦＩＤタグから機器ＩＤ情報を入力する（ステップＳＡ２）。携帯端末１６が、手動弁１７のＲＦＩＤタグ１８に記憶されている機器ＩＤ情報、すなわち、手動弁１７のＩＤ情報を読み取る。手動弁１７のＩＤ情報は、通信インタフェース４３から携帯端末１６内に取り込まれ、内部メモリに格納される。ＩＤ情報を入力した機器が作業対象機器であるかを確認する（ステップＳＡ３）。機器同定処理部４６は、入力した作業指示情報に含まれた機器番号と携帯端末１６で読み取った、ＲＦＩＤタグ１８に記憶された機器ＩＤ情報（手動弁１７のＩＤ情報）を比較し、手動弁１７が作業指示情報で指示された作業対象機器であるかを確認する。機器同定処理部４６は、手動弁１７のＩＤ情報が作業指示情報に含まれた機器番号であると認識したとき、表示画面１６Ａに手動弁１７が作業対象機器である旨を表示する。
【００２６】
携帯端末１６の表示画面１６Ａに表示された作業指示情報その表示を見た作業者２０は、この作業指示情報に従って手動弁１７を「全閉（または閉じる）」或は「全開（開く）」にする。
【００２７】
図７及び図８に示す「アイソレーション状態」は、弁の保守または取替えなどの作業が発生するときに、原子力プラントが停止されている保守点検時にその弁を含む系統に対してアイソレーション作業（隔離のために弁を閉じたり、ドレインのために弁を開けたりたりする作業）が行われるが、このアイソレーション作業が行われた状態を意味する。アイソレーション状態になっていない状態が通常状態である。
【００２８】
対象機器の操作結果を入力する（ステップＳＡ４）。手動弁１７の操作後に、作業者２０は、携帯端末１６の「ダウンロード」及び「記録一覧」の各タッチ部を押すと、プラント機器状態管理装置９の機器状態データベース３６に格納されている機器状態データが読み出され、構内有線ＬＡＮ１５及びアクセスポイント１４等を経由して携帯端末１６に取り込まれ、内部メモリに記憶される。取り込まれた機器状態データが表示画面１６Ａに表示される。表示画面１６Ａに表示され機器状態データの一例を、図７に示す。手動弁１７が原子力プラントの定期検査時に「アイソレーション状態」として全閉状態に操作し、その状態を確認したので、作業員２０は、ガイドボタン２２を操作し、手動弁１７の機器番号の欄でアイソレーション状態の枠を指定し、ガイドボタン２２により「全閉」を入力する。
【００２９】
操作結果を作業指示内容と比較する（ステップＳＡ５）。作業結果確認処理部４７は、ステップＳＡ４で入力された作業対象機器の操作後における機器状態（例えば、手動弁１７の開閉状態）の情報とステップＳＡ１で入力した作業指示情報に含まれる機器状態の情報（作業指示内容）を比較し、入力された作業対象機器の機器状態（例えば、手動弁１７の開閉状態）が作業指示内容に一致しているかを判定する。作業対象機器の操作後における機器状態（例えば、手動弁１７の開閉状態）が作業指示内容に一致していないとき、すなわち、ステップＳＡ４で、手動弁１７の操作後における手動弁１７の開閉状態の情報が、作業指示内容（手動弁１７は全閉状態）と異なり、間違って全開であると入力されたとき、アラームを出力する（ステップＳＡ８）。このアラームが出力されたときには、ステップＳＡ３〜ＳＡ５の各処理が、繰り返される。
【００３０】
ステップＳＡ５の比較において入力された作業対象機器の機器状態（例えば、手動弁１７の全閉状態）が作業指示内容に一致するとき、作業員２０は、手動弁１７が取り付けられている配管内の状態を確認する。この配管内の状態の確認は、例えば、ベントするために上流の手動弁を閉にベント弁(手動弁)を開にして水をベントできれば水無しと判断し、上流弁が開でベント弁が閉であれば水有りと判断することにより行われる。確認した配管内の状態を示す情報を入力する（ステップＳＡ６）。作業員２０は、確認した、例えば、手動弁１７が設置された配管内の状態を示す情報を、手動弁１７に対応させて、ガイドボタンにより携帯端末１６に入力する。
【００３１】
作業対象機器の操作結果を示す情報及び作業対象機器が設けられた配管内の状態を示す情報を、プラント機器状態管理装置に出力する（ステップＳＡ７）。作業員２０は、携帯端末１６の「アップロード」のタッチ部を押す。ステップＳＡ４で入力された作業対象機器の操作結果（例えば、手動弁１７の開閉状態）を示す情報及びステップＳＡ６で入力された作業対象機器（例えば、手動弁１７）が設けられた配管内の状態を示す情報を含む作業対象機器（例えば、手動弁１７）の機器状態データが、携帯端末１６から近くのアクセスポイント１４に無線で伝えられる。この機器状態データは、構内有線ＬＡＮ１５、通信ステーション１１及び構内有線ＬＡＮ１２を経由してプラント機器状態管理装置９に伝えられ、機器状態データベース３６に格納される。
【００３２】
携帯端末１６のＧＵＩ処理部４５は、作業員が表示画面１６Ａに表示された「記録一覧」及び「機器一覧」の各タッチ部をタッチしたときに記録一覧リスト及び機器一覧リストの各表示情報を作成し、これらの表示情報を表示画面１６Ａに表示する。
【００３３】
以上により、１つの手動弁１７に対する操作、携帯端末１６への関連する情報の入力、及び入力した情報のプラント機器状態管理装置９への送信が終了する。作業員２０は、携帯端末１６を操作し、ステップＳＡ１における他の作業対象機器（例えば、別の手動弁）に対する作業指示情報を携帯端末１６に入力させる。作業員２０は、他の作業対象機器（例えば、別の手動弁）の設置位置まで移動し、この他の作業対象機器に関して必要な操作、及び配管内の状態の確認を行い、携帯端末１６への必要な情報の入力を行う。携帯端末１６は、図６に示されたステップＳＡ１〜ＳＡ８の処理を実行する。
【００３４】
このようにして、作業員２０が、図７に示す（ａ）〜（ｃ）の３つの機器番号の作業対象機器（例えば、手動弁）に対して作業対象機器の状態をチェックし、各手動弁が原子力プラントの定期検査期間での保守点検時におけるアイソレーション状態の開閉状態（全閉状態）になっていないときに、携帯端末１６の表示画面１６Ａに表示された作業指示情報に基づいてそれらの手動弁を操作して全閉状態にしたとする。作業員は、操作後における手動弁の確認結果を携帯端末１６に入力し、プラント機器状態管理装置９宛に送信する。図７に示す（ａ）〜（ｃ）の３つの機器番号の作業対象機器（例えば、手動弁）に対するそれぞれの機器状態データが、ステップＳＡ７において、プラント機器状態管理装置９宛に送信される。このため、図７に示された（ａ）〜（ｃ）の３つの機器番号の作業対象機器（例えば、手動弁）に対するそれぞれの機器状態データが、プラント機器状態管理装置９に入力される。（ａ）〜（ｃ）の３つの機器番号の作業対象機器（例えば、手動弁）のそれぞれの機器状態データは、それぞれの作業対象機器（例えば、手動弁）の機器状態を示すアイソレーション状態の情報（図７参照）、及び作業対象機器（例えば、手動弁）が設けられた配管内の状態を示す情報（図８参照）を含んでいる。
【００３５】
次に、本実施例のプラント機器状態管理方法を以下に説明する。特に、プラント機器状態管理装置９を用いて実行される処理を、図９及び図１０を用いて説明する。まず、本実施例のプラント機器状態管理方法を実施する際における、携帯端末１６とプラント機器状態管理装置９の間での情報の伝送を、図９を用いて説明する。
【００３６】
作業指示情報を携帯端末に送信する（ステップＳＢ１）。携帯端末１６において「ダウンロード」のタッチ部が押され、作業指示情報の送信依頼があったとき、プラント機器状態管理装置９の作業指示情報作成部３２が、作業指示情報（許可番号、系統番号、系統名、機器番号、機器名称、機器状態、操作者名）を機器状態データベース３６から読み出して通信インタフェース３１から携帯端末１６に送信される。この作業指示情報が、前述のステップＳＡ１において、携帯端末１６に入力される。
【００３７】
携帯端末から出力された機器状態データを入力する（ステップＳＢ２）。ステップＳＡ７において携帯端末１６から出力された、作業対象機器の操作結果（例えば、手動弁１７の全閉状態）を示す情報及びステップＳＡ６で入力された作業対象機器（例えば、手動弁１７）が設けられた配管内の状態を示す情報を含む作業対象機器（例えば、手動弁１７）の機器状態データが、通信インタフェース３１より、プラント機器状態管理装置９に取り込まれ、機器状態データベース３６に格納される。
【００３８】
入力された機器状態データが作業指示情報と比較される（ステップＳＢ３）。例えば、この機器状態データに含まれる作業対象機器の操作結果（例えば、手動弁１７の全閉状態）を示す情報を含んでいたとする。作業確認処理部３３は、ステップＳＢ２で入力した機器状態データとステップＳＢ１で出力した作業指示情報を比較し、この機器状態データに含まれる作業対象機器の操作結果を示す情報が作業指示情報に含まれる機器状態の情報に一致しているかを判定する。作業確認処理部３３で両者の情報が一致していると判定されたとき、すなわち、例えば、手動弁１７の全閉状態を示す情報が作業指示内容である手動弁１７は全閉状態に一致していると判定されたときには、ステップＳＢ４の処理が実行される。作業確認処理部３３で両者の情報が一致していないと判定されたとき、すなわち、手動弁１７の、間違って入力された機器状態の情報である全開状態を示す情報が、作業指示内容である手動弁１７の全閉状態と異なっていると判定されたときには、携帯端末にアラーム情報を送信する（ステップＳＢ５）。ステップＳＢ５で作業確認処理部３３において作成されたアラーム情報は、構内有線ＬＡＮ１２、通信ステーション１１、構内有線ＬＡＮ１５及び現時点で端末１６の近くに存在するアクセスポイント１４を経由して携帯端末１６に入力される。作業確認処理部３３は、アラーム情報を出力するとき、作業対象機器の操作結果（例えば、手動弁１７の全閉状態）を示す情報が作業指示情報に含まれる機器状態の情報と一致していないことを示す情報及びこの作業対象機器の機器番号を併せて出力する。
【００３９】
アラーム情報を入力した携帯端末１６は、アラームを発するとともに、作業対象機器の操作結果（例えば、手動弁１７の全開状態）を示す情報が作業指示情報に含まれる機器状態の情報と一致していないことを示す情報、及びこの作業対象機器の機器番号を表示画面１６Ａに表示する。作業者２０は、携帯端末１６から警報が発せられたとき、表示画面１６Ａに表示された両者の情報が一致していないことを示す情報、及び機器番号を見る。作業者２０は、機器番号を有する作業対象機器（例えば、手動弁１７）に対して、全閉操作を行う。その後、図６に示すステップＳＡ３〜ＳＡ５及びＳＡ７の各処理が携帯端末１６において行われ、再度実行された作業対象機器の操作結果（例えば、手動弁１７の全閉状態）を示す情報を含む機器状態データが、携帯端末１６から出力されてプラント機器状態管理装置９に入力される。作業確認処理部３３では、この新たに入力した機器状態データに含まれる作業対象機器の操作結果（例えば、手動弁１７の全閉状態）を示す情報が作業指示情報に含まれる機器状態の情報（作業指示内容）と一致しているかが判定される。両者の情報が一致していると判定されたとき、ステップＳＢ４の処理が実行される。
【００４０】
入力した機器状態データが機器状態データベースに格納される（ステップＳＢ４）。作業確認処理部３３は、ステップＳＢ３の処理で両者の情報が一致していると判定したとき、ステップＳＢ２で携帯端末１６から送信されてきた機器状態データ（例えば、図７に示された（ａ）〜（ｃ）の３つの機器番号の作業対象機器（例えば、手動弁）に対するそれぞれの機器状態データ）を機器状態データベース３６に格納する。
【００４１】
その後、正常な機器状態データを受信したことを携帯端末に通知する（ステップＳＢ６）。機器状態データが機器状態データベース３６に格納された後、作業確認処理部３３は、作業対象機器（例えば、手動弁１７）に関する、正常な機器状態データを受信したことを示す受信情報を、通信インタフェース３１から携帯端末１６宛てに送信する。プラント機器状態管理装置９から出力されたその受信情報は、携帯端末１６の表示画面１６Ａに表示される。この受信情報を見た作業員２０は、手動弁１７に対する正常な機器状態データがプラント機器状態管理装置９に受信されたことを知ることができる。
【００４２】
プロセス計算機からの機器状態データが機器状態データベースに格納される（ステップＳＢ７）。プロセス計算機８には、制御装置６及び７等の制御装置で実行されるバイパス弁６Ａ，７Ａ等の、原子力プラントに設けられた全ての電動弁の開閉状態を示す情報が記憶されている。これらの電動弁の開閉状態を示す情報は、例えば、制御装置６によりバイパス弁６Ａの開度が制御されるとき、バイパス弁６Ａに設けられたリミットスイッチ６ｃにより、バイパス弁６Ａの開閉状態が検出される。リミットスイッチ６ｃで検出されたバイパス弁６Ａの開閉状態を示す情報（例えば、図７に示された（ｄ）の１つの機器番号の電動弁（○○バイパス弁）に対する機器状態データ）が、制御装置６からプロセス計算機８に出力され、プロセス計算機８の内部メモリに記憶される。プロセス計算機８の内部メモリに記憶されている全ての電動弁の開閉状態を示す情報が、プラント機器状態管理装置９に入力され、作業確認処理部３３により機器状態データベース３６に格納される。
【００４３】
プラント機器状態管理装置９の機器状態管理部３４は、ステップＳＡ７で携帯端末１６から入力した機器状態データ、及びステップＳＢ７でプロセス計算機８から入力した電動弁の開閉状態を示す情報を用いて図７及び図８に示す管理情報を作成する。
【００４４】
次に、本実施例のプラント機器状態管理方法の携帯端末１６から入力した機器状態データを用いた表示情報の作成を、図１０を用いて説明する。
【００４５】
プラント状態の表示情報を作成するために、保守コンソールからプラントの系統情報を取り込む（ステップＳＣ１）。ステップＳＢ６の処理が終了した後、プラント機器状態管理装置９の系統状態表示情報作成部３５は、プラント状態の表示情報を作成するために必要な系統情報を要求する系統情報要求信号を保守コンソール１０に出力する。保守コンソール１０は、プラント機器状態管理装置９から系統情報要求信号を入力したとき、要求があった系統情報を機器管理データベース４２から読み出してプラント機器状態管理装置９に入力する。
【００４６】
表示情報を作成する対象機器が設けられた系統の配管計装図情報を抽出する（ステップＳＣ１）。系統状態表示情報作成部３５は、ステップＳＣ１の処理が終了した後、ステップＳＣ１の処理で保守コンソール１０の機器管理データベース４２から取り込んだ系統情報のうち、表示情報を作成する対象機器が設けられた系統の配管計装図情報、すなわち、携帯端末１６から入力した、図７及び図８に示す（ａ）〜（ｃ）の各機器番号を有するそれぞれの手動弁が設けられている系統である配管系、及びプロセス計算機８から入力した、図７及び図８に示す（ｄ）の機器番号を有する電動弁が設けられている系統である配管系のそれぞれの配管計装図情報を抽出する。
【００４７】
表示情報を作成する対象機器の機器状態データを含む配管計装図情報の表示情報を作成する（ステップＳＣ３）。系統状態表示情報作成部３５は、表示情報を作成する対象機器の配管計装図情報に、表示情報を作成する対象機器の機器状態データを追加して、表示情報を作成する対象機器の機器状態データを含む配管計装図情報の表示情報を作成する。具体的には、系統状態表示情報作成部３５は、携帯端末１６から入力した、図７及び図８に示す（ａ）〜（ｃ）の各機器番号を有するそれぞれの手動弁（表示情報を作成する対象機器）が設けられている配管系の配管計装図情報に、図７及び図８に示す（ａ）〜（ｃ）の各機器番号を有するそれぞれの手動弁の開閉状態を示す情報、すなわち、全閉状態を示す情報を付加し、図７及び図８に示す（ａ）〜（ｃ）の各手動弁の全閉状態を示す情報を付加した配管系の配管計装図情報（以下、第１配管計装図情報という）の表示情報を作成する。さらに、系統状態表示情報作成部３５は、プロセス計算機８から入力した、図７及び図８に示す（ｄ）の機器番号を有する電動弁（表示情報を作成する対象機器）が設けられている配管系の配管計装図情報に、図７及び図８に示す（ｄ）の機器番号を有する電動弁の開閉状態を示す情報、すなわち、全閉状態を示す情報を付加し、図７及び図８に示す（ｄ）の電動弁の全閉状態を示す情報を付加した配管系の配管計装図情報（以下、第２配管計装図情報という）の表示情報を作成する。作成された第１及び第２配管計装図情報の各表示情報（図１１参照）は、機器状態データベース３６に記憶される。
【００４８】
配管計装図情報の表示情報を大画面可変情報表示装置に送信する（ステップＳＣ４）。系統状態表示情報作成部３５は、作成された第１及び第２配管計装図情報の各表示情報を大画面可変情報表示装置２に送信する。保守コンソール１０の大画面可変表示切替え管理部３８は、系統状態表示情報作成部３５から大画面可変情報表示装置２への表示情報（例えば、第１及び第２配管計装図情報の各表示情報）の出力を示す情報を入力したとき、大画面可変情報表示装置２に表示されている表示情報を、第１及び第２配管計装図情報の各表示情報の表示に切り換える切り換え信号を大画面可変情報表示装置２に出力する。切り換え信号を入力した大画面可変情報表示装置２は、第１及び第２配管計装図情報の各表示情報（図１１参照）を表示する。
【００４９】
保守点検コンソール１０において、系統状態表示部３９は大画面可変情報表示装置２，３に表示するか否かの切換え処理（切換え判定はしない）を行う。保守点検作業管理部４０は、例えば、プラント定期検査期間中の全点検保守作業の作業・工程などの管理をする。異常機器診断管理部４１は、診断システムにより機器の正常/異常状態、異常兆候を判定する。
【００５０】
本実施例によれば、作業対象機器である、例えば、手動弁１７に貼り付けたＲＦＩＤタグ１８から手動弁１７の機器ＩＤ情報を携帯端末１６で読み出し、この読み出した手動弁１７の機器ＩＤ情報と、携帯端末１６において、プラント機器状態管理装置９の機器状態データベース３６から読み出した作業指示情報に含まれる手動弁との照合を容易に実現することができる。このため、作業員２０が、作業対象機器でない手動弁を間違ってチェックすることを避けることができる。
【００５１】
原子力プラントに設けられた各手動弁の、原子力プラント起動前にあるべき開閉状態は決まっている。操作対象の手動弁の、原子力プラント起動前にあるべき開閉状態は、プラント機器状態管理装置９の機器状態データベース３６から読み出した作業指示情報に含まれており、携帯端末１６の表示画面１６Ａに表示することができる。このため、作業員２０は、現場の操作対象の手動弁１７の開閉状態をチェックして、この手動弁１７が、原子力プラント起動前にあるべき開閉状態（例えば、全閉状態）になっているかを、表示画面１６Ａに表示された作業指示情報に含まれるその手動弁の開閉状態の情報を見ることによって、容易に確認することができる。
【００５２】
さらに、手動弁１７の開閉状態が、表示画面１６Ａに表示された作業指示情報に含まれるその手動弁の開閉状態の情報を見ることにより、原子力プラント起動前にあるべき開閉状態（例えば、全閉状態）と異なっていると、作業員２０が認識したとき、作業員２０は、違った開閉状態になっている手動弁１７を、原子力プラント起動前にあるべき開閉状態、例えば、全閉状態になるように、操作し、手動弁１７の操作結果を携帯端末１６に入力する。携帯端末１６では、作業員２０が携帯端末１６に入力した操作対象の手動弁１７の操作結果を示す情報と、プラント機器状態管理装置９の機器状態データベース３６から読み出した作業指示情報に含まれた、手動弁１７の原子力プラント起動前にあるべき開閉状態（例えば、全閉状態）とが、携帯端末１６で比較される。換言すれば、作業員２０が携帯端末１６に入力した手動弁１７の操作結果を示す情報が、手動弁１７の原子力プラント起動前にあるべき開閉状態（例えば、全閉状態）と一致しているかが判定される。このように、本実施例では、現場で作業員２０が操作対象の手動弁１７の操作結果の携帯端末１６への入力が、正しいか否かを、携帯端末１６を用いて現場で確認することができる。したがって、手動弁１７の操作結果を示す情報の携帯端末１６への入力が正しいかを短時間に現場で確認することができる。
【００５３】
もし、手動弁１７の操作結果を示す情報の携帯端末１６への入力が間違っている場合には、手動弁１７の開閉状態を再度確認し、手動弁１７の操作間違いの場合には、正常な手動弁１７の操作をやり直すことができる。作業員２０は、この正常な手動弁１７の操作結果を示す情報を、携帯端末１６に入力する。このようにして、正常な手動弁１７の操作をやり直すことができ、手動弁１７の正しい操作結果を示す情報の携帯端末１６への入力を確認することができる。
【００５４】
万が一、間違っている、手動弁１７の操作結果を示す情報が、ステップＳＡ７の処理において、プラント機器状態管理装置９に送信されたとしても、ステップＳＢ３の処理によって、携帯端末１６から入力した手動弁１７の、機器状態データに含まれる操作結果を示す情報が、ステップＳＢ１の処理で携帯端末１６に送信された、作業指示情報に含まれる手動弁１７の原子力プラント起動前にあるべき開閉状態を示す情報と一致しているかが判定されるので、携帯端末１６から入力した手動弁１７の、機器状態データに含まれる正常な操作結果を示す情報（作業指示情報に含まれる手動弁１７の原子力プラント起動前にあるべき開閉状態を示す情報と一致している、手動弁１７の、機器状態データに含まれる正常な操作結果を示す情報）を機器状態データベース３６に記憶させることができる。
【００５５】
本実施例は、上記したように、携帯端末１６において、携帯端末１６に入力した、作業指示情報に含まれる手動弁に関する情報と、作業員２０が携帯端末１６に入力した情報または作業員２０がチェックする手動弁を比較することによって、ヒューマンエラーを防止することができ、表示情報の作成に用いられる、原子力プラントに設けられた手動弁の開閉状態を示す情報の精度を向上させることができる。
【００５６】
さらに、本実施例では、プラント機器状態管理装置９の処理により、現場に置かれた手動弁１７の開閉状態を示す情報が加えられた配管計装線図情報が、大画面可変情報表示装置２にリアルタイムに近い状態で表示されるので、運転員５は原子力プラントに設けられた手動弁の状態をタイムリーに把握することが可能となり、プラントの一層の安全運転を図ることが可能になる。
【００５７】
本実施例は、手動弁の開閉状態を示す情報だけでなく、電動弁の開閉状態を示す情報も、電動弁が設けられた系統の配管計装線図情報に追加されて大画面可変情報表示装置２にリアルタイムに近い状態で表示されるので、運転員５は、電動弁の開閉状態も併せて把握することができる。
【００５８】
本実施例では、配管内の状態を示す情報を携帯端末１６から入力して機器状態データベース３６に格納し、必要に応じて携帯端末１６の表示画１６Ａに表示するため、作業員が配管内の状態を知ることができる。弁の取替え作業、または配管の取替え作業の際に該当配管に水が残っていると工事を始めたときに残っている水が作業エリアにあふれたり、作業者がぬれたりする。配管内の状態を示す情報を表示画１６Ａに表示することにより、そのような事態が生じることを避けることができる。
【００５９】
ＲＦＩＤタグ１８の替りにバーコードを手動弁に付与し、このバーコードを携帯端末１６で読み取ってその手動弁を認識してもよい。
【産業上の利用可能性】
【００６０】
本発明は、原子力プラント、火力プラント及び化学プラント等のプラントにおいて、このプラントに設置された手動弁の開閉状態を管理する場合に適用することができる。
【符号の説明】
【００６１】
１…大画面表示装置、２，３…大画面可変情報表示装置、６，７…制御装置、６Ｃ，７Ｃ…バイパス弁、８…プロセス計算機、９…プラント機器状態管理装置、１０…保守コンソール、１１…通信ステーション、１２，１５…構内有線ＬＡＮ、１３，１４…アクセスポイント、１６…携帯端末、１７…手動弁、１８…ＲＦＩＤタグ、２１…プラント機器状態管理システム、２２…ガイドボタン、３２…作業指示情報作成部、３３…作業確認処理部、３５…系統状態表示情報作成部、３６…機器状態データベース。
【図１】
0005627550.tif 000002
【図２】
0005627550.tif 000003
【図３】
0005627550.tif 000004
【図４】
0005627550.tif 000005
【図５】
0005627550.tif 000006
【図６】
0005627550.tif 000007
【図７】
0005627550.tif 000008
【図８】
0005627550.tif 000009
【図９】
0005627550.tif 000010
【図１０】
0005627550.tif 000011
【図１１】
0005627550.tif 000012